(57)【特許請求の範囲】
【請求項１】
利用者に装着されて使用される行動評価装置であって、
前記利用者の動きに応じた情報を検出する検出部と、
前記検出部で検出される情報に基づいて前記利用者の行動を識別する行動識別部と、
前記行動識別部で識別される行動を蓄積する記憶部と、
前記行動識別部で識別された現在行動と前記記憶部に蓄積されている過去行動とを比較し、該現在行動が該過去行動に対して推奨行動であるか否かを判定する判定部と、
前記判定部での判定結果に基づいて動作する報知部と、
を備え、
前記判定部は、前記現在行動と該現在行動の直前の過去行動とを比較して、前記行動識別部で識別可能な複数の行動種別を前記現在行動及び該現在行動の直前の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する行動評価装置。
る行動評価装置。
【請求項２】
利用者に装着されて使用される行動評価装置であって、
前記利用者の動きに応じた情報を検出する検出部と、
前記検出部で検出される情報に基づいて前記利用者の行動を識別する行動識別部と、
前記行動識別部で識別される行動を蓄積する記憶部と、
前記行動識別部で識別された現在行動と前記記憶部に蓄積されている過去行動とを比較し、該現在行動が該過去行動に対して推奨行動であるか否かを判定する判定部と、
前記判定部での判定結果に基づいて動作する報知部と、
日時を計時する計時部と、
を備え、
前記記憶部は、前記行動識別部で識別される行動を該行動がとられた日時と関連付けて蓄積し、
前記判定部は、前記現在行動と前日以前で且つ該現在行動と同一時間帯の過去行動とを比較して、前記行動識別部で識別可能な複数の行動種別を前記現在行動及び前日以前で且つ該現在行動と同一時間帯の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する行動評価装置。
【請求項３】
請求項１又は２記載の行動評価装置であって、
前記報知部は、少なくとも前記現在行動が推奨行動であると前記判定部で判定された場合に動作する行動評価装置。
【請求項４】
利用者に装着されて使用され、前記利用者の動きに応じた情報を検出し、該情報に基づいて前記利用者の行動を識別し、識別した行動を蓄積する行動評価装置による行動評価方法であって、
前記利用者の動きに応じて検出された情報に基づいて前記利用者の行動を識別するステップと、
識別された現在行動と蓄積されている過去行動とを比較し、該現在行動が該過去行動に対して推奨行動であるか否かを判定するステップと、
判定結果に基づいて報知するステップと、
を備え、
前記判定するステップは、前記現在行動と該現在行動の直前の過去行動とを比較して、識別可能な複数の行動種別を前記現在行動及び該現在行動の直前の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する行動評価方法。
【請求項５】
利用者に装着されて使用され、前記利用者の動きに応じた情報を検出し、該情報に基づいて前記利用者の行動を識別し、識別した行動を蓄積する行動評価装置による行動評価方法であって、
日時を計時するステップと、
前記利用者の動きに応じて検出された情報に基づいて前記利用者の行動を識別するステップと、
識別された行動を該行動がとられた日時と関連付けて蓄積するステップと、
識別された現在行動と蓄積されている過去行動とを比較し、該現在行動が該過去行動に対して推奨行動であるか否かを判定するステップと、
判定結果に基づいて報知するステップと、
を備え、
前記判定するステップは、前記現在行動と前日以前で且つ該現在行動と同一時間帯の過去行動とを比較して、識別可能な複数の行動種別を前記現在行動及び前日以前で且つ該現在行動と同一時間帯の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する行動評価方法。
【請求項６】
請求項４又は５記載の行動評価方法の各ステップをコンピュータに実行させるプログラム。
【発明の詳細な説明】
【技術分野】
【０００１】
本発明は、行動評価装置及び行動評価方法、並びに行動評価方法をコンピュータに実行させるプログラムに関する。
【背景技術】
【０００２】
近年、加速度センサや角速度センサなどの動きを検出するセンサを用いることにより、人の行動を識別し、また評価する装置の開発が盛んである。
【０００３】
例えば特許文献１に記載された装置は、ある種の行動について、一般的に好ましいと考えられている動きを基準とし、利用者の動きを評価するものである。この装置は、例えば歩行について、一般的に好ましいと考えられている姿勢や足運びを基準とし、利用者の姿勢や足運びを評価する。
【０００４】
また、特許文献２に記載された装置は、利用者の生理学情報に基づいて健康傾向となる行動を賞賛するものである。この装置は、例えば習慣的な歩行が検出され、併せて血圧の低下が認められる場合に、習慣的な歩行を賞賛する。
【０００５】
このように、利用者の行動を識別し、評価することによって、利用者に改善を促し、また持続させることが可能となる。
【先行技術文献】
【特許文献】
【０００６】
【特許文献１】特開２０１１−２４００４７号公報
【特許文献２】特表２０１０−５３０７８４号公報
【発明の概要】
【発明が解決しようとする課題】
【０００７】
日常生活における行動は多岐にわたって変化するものであり、その時々で推奨される行動は、利用者のそれまでの行動との関係において幾通りも考えられる。特許文献１に記載された装置は、利用者の行動を行動種別毎の所定の基準に照らして個別に評価するため、多岐にわたって変化する行動を適切に評価することはできない。
【０００８】
特許文献２に記載された装置は、利用者の生理学的情報に基づいて利用者の行動を評価するが、行動が生理学的情報に反映されるには相応の期間を要し、その間、行動評価がなされないと、利用者の意欲を減退させてしまう。
【０００９】
本発明は、上記事情に鑑みてなされたものであり、多岐にわたって変化する行動を適時適切に評価することが可能な行動評価装置、行動評価方法、行動評価プログラムを提供することを目的とする。
【課題を解決するための手段】
【００１０】
本発明の行動評価装置は、利用者に装着されて使用される行動評価装置であって、前記利用者の動きに応じた情報を検出する検出部と、前記検出部で検出される情報に基づいて前記利用者の行動を識別する行動識別部と、前記行動識別部で識別される行動を蓄積する記憶部と、前記行動識別部で識別された現在行動と前記記憶部に蓄積されている過去行動とを比較し、該現在行動が該過去行動に対して推奨行動であるか否かを判定する判定部と、前記判定部での判定結果に基づいて動作する報知部と、を備え、前記判定部は、前記現在行動と該現在行動の直前の過去行動とを比較して、前記行動識別部で識別可能な複数の行動種別を前記現在行動及び該現在行動の直前の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する。
また、本発明の行動評価装置は、利用者に装着されて使用される行動評価装置であって、前記利用者の動きに応じた情報を検出する検出部と、前記検出部で検出される情報に基づいて前記利用者の行動を識別する行動識別部と、前記行動識別部で識別される行動を蓄積する記憶部と、前記行動識別部で識別された現在行動と前記記憶部に蓄積されている過去行動とを比較し、該現在行動が該過去行動に対して推奨行動であるか否かを判定する判定部と、前記判定部での判定結果に基づいて動作する報知部と、日時を計時する計時部と、を備え、前記記憶部は、前記行動識別部で識別される行動を該行動がとられた日時と関連付けて蓄積し、前記判定部は、前記現在行動と前日以前で且つ該現在行動と同一時間帯の過去行動とを比較して、前記行動識別部で識別可能な複数の行動種別を前記現在行動及び前日以前で且つ該現在行動と同一時間帯の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する。
【００１１】
本発明の行動評価方法は、利用者に装着されて使用され、前記利用者の動きに応じた情報を検出し、該情報に基づいて前記利用者の行動を識別し、識別した行動を蓄積する行動評価装置による行動評価方法であって、前記利用者の動きに応じて検出された情報に基づいて前記利用者の行動を識別するステップと、識別された現在行動と蓄積されている過去行動とを比較し、該現在行動が該過去行動に対して推奨行動であるか否かを判定するステップと、判定結果に基づいて報知するステップと、を備え、前記判定するステップは、前記現在行動と該現在行動の直前の過去行動とを比較して、識別可能な複数の行動種別を前記現在行動及び該現在行動の直前の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する。
また、本発明の行動評価方法は、利用者に装着されて使用され、前記利用者の動きに応じた情報を検出し、該情報に基づいて前記利用者の行動を識別し、識別した行動を蓄積する行動評価装置による行動評価方法であって、日時を計時するステップと、前記利用者の動きに応じて検出された情報に基づいて前記利用者の行動を識別するステップと、識別された行動を該行動がとられた日時と関連付けて蓄積するステップと、識別された現在行動と蓄積されている過去行動とを比較し、該現在行動が該過去行動に対して推奨行動であるか否かを判定するステップと、判定結果に基づいて報知するステップと、を備え、前記判定するステップは、前記現在行動と前日以前で且つ該現在行動と同一時間帯の過去行動とを比較して、識別可能な複数の行動種別を前記現在行動及び前日以前で且つ該現在行動と同一時間帯の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定する。
【００１２】
本発明の行動評価プログラムは、前記行動評価方法の各ステップをコンピュータに実行させるためのプログラムである。
【発明の効果】
【００１３】
本発明によれば、多岐にわたって変化する行動を適時適切に評価することが可能な行動評価装置、行動評価方法、行動評価プログラムを提供することができる。
【図面の簡単な説明】
【００１４】
【図１】本発明の一実施形態を説明するための行動評価装置の一例の構成を示す機能ブロック図である。
【図２】図１の行動評価装置が実行する処理のフローチャートである。
【図３】図２の判定ステップにおける処理の一例のフローチャートである。
【図４】図３の判定ステップで用いられるマトリックスの一例の構成を示す図である。
【図５】図２の判定ステップにおける処理の他の例のフローチャートである。
【図６】図２の判定ステップにおける処理の他の例のフローチャートである。
【発明を実施するための形態】
【００１５】
以下、本発明の実施形態について図面を参照して説明する。
【００１６】
図１は、本発明の実施形態を説明するための行動評価装置の一例の構成を示す。
【００１７】
行動評価装置１０は、利用者に装着されて使用される。行動評価装置１０は、全体を統括制御する制御部１と、検出部２と、通信部３と、操作部４と、記憶部５と、各種情報を表示するための表示部６と、音や光等で利用者への報知を行う報知部７と、を備える。
【００１８】
検出部２は、行動評価装置１０を装着した利用者の動きに応じた情報を検出するものであり、体動検出部１１と、高度検出部１２と、を備える。
【００１９】
体動検出部１１は、加速度センサや角速度センサなどの各種センサを含み、行動評価装置１０を装着した利用者の動きを検出する。
【００２０】
高度検出部１２は、気圧センサを含み、行動評価装置１０がある位置の高度を検出する。行動評価装置１０がある位置の高度は、行動評価装置１０を装着した利用者の動き（例えば、階段昇降）によって変化する。したがって、この高度の情報も、行動評価装置１０を装着した利用者の動きに応じた情報となる。
【００２１】
通信部３は、他の機器と通信を行うためのインターフェースを含む。このインターフェースとしては、ＡＮＴに準拠した通信インターフェース、Ｂｌｕｅｔｏｏｔｈ（登録商標）に準拠した通信インターフェース等の近距離無線通信インターフェースが用いられる。
【００２２】
操作部４は、制御部１に各種指示を入力するためのデバイスであり、ボタンや表示部６に搭載されたタッチパネル等により構成される。
【００２３】
記憶部５は、フラッシュメモリやＲＯＭ（Ｒｅａｄ  Ｏｎｌｙ  Ｍｅｍｏｒｙ）等の記憶媒体を含んで構成され、検出部２によって検出された検出情報を記憶したり、通信部３を介して受信した情報を記憶したり、行動評価装置１０の動作に必要な情報を記憶したりする。
【００２４】
制御部１は、記憶部５のＲＯＭに記憶された行動評価プログラムを実行するプロセッサを主体に構成される。制御部１は行動識別部及び計時部、並びに判定部としても機能する。
【００２５】
図２は、行動評価装置１０が実行する処理のフローを示す。
【００２６】
行動識別部及び計時部としての制御部１は、検出部２で検出された情報に基づいて利用者の行動を識別する（ステップＳ１）。また、制御部１は、識別された行動を、その行動がとられた日時や継続時間と関連付けて記憶部５に記憶させる。
【００２７】
ここで、本明細書において、「行動」とは、歩いている、走っている、座っている、立ち止まっている、寝ている、階段を昇降している等の人の動作状態のことを言う。
【００２８】
例えば、静止している、歩いている、走っている、乗り物にのって移動しているといった行動は、体動検出部１１の加速度センサで検出される加速度情報や、その時間積分の速度情報によって識別することが可能である。そして、同じ静止であっても、座っている、立っている、寝ているといった違いは、体動検出部１１の角速度センサで検出される角速度情報や、その時間積分である姿勢角情報によって識別することが可能である。
【００２９】
また、昇降は高度検出部１２で検出される高度情報によって識別することができ、階段の昇降と、エレベータやエスカレータなど昇降機による昇降とは、高度検出部１２で検出される高度情報に体動検出部１１の加速度センサで検出される加速度情報や速度情報を加味することによって識別することが可能である。
【００３０】
そして、判定部としての制御部１は、識別された現在行動と記憶部５に蓄積されている過去行動とを比較し、現在行動が過去行動に対して推奨行動であるか否かを判定する（ステップＳ２）。推奨行動であるか否かの判定方法については後述する。
【００３１】
そして、制御部１は、上記の判定結果に基づいて報知部７を動作させる（ステップＳ３）。それにより、現在行動の評価結果が利用者に報知される。なお、図示の例では、現在行動が推奨行動であると判定された場合に報知部７が動作するように構成されているが、現在行動が非推奨行動である場合に報知部７を動作させてもよいし、推奨行動と非推奨行動とで報知の態様を異ならせて推奨行動及び非推奨行動のいずれにおいても報知部７を動作させてもよい。
【００３２】
好ましくは、少なくとも現在行動が推奨行動と判定された場合に報知部７が動作するように構成される。これは、現在行動が非推奨行動である場合の注意より、現在行動が推奨行動である場合の賞賛のほうが、一般的に利用者の意欲を高められる傾向にあるからである。
【００３３】
また、以上の報知モードを操作部４に対する操作によって設定可能に構成してもよい。
【００３４】
以下、制御部１による推奨行動の判定方法について説明する。
【００３５】
図３は、制御部１による推奨行動の判定方法の例を示し、図４は、図３の判定方法に用いられるマトリックの一例を示す。
【００３６】
図３に示す例は、現在行動と現在行動の直前の過去行動とを比較して、現在行動が過去行動に対して推奨行動であるか否かを判定する例である。
【００３７】
まず、制御部１は、現在行動を識別すると、記憶部５に蓄積されている直前の過去行動を読み出す（ステップＳａ１）。
【００３８】
そして、制御部１は、現在行動と過去行動とを比較し、図４のマトリックスに基づいて、現在行動が過去行動に対して推奨行動であるか否かを判定する（ステップＳａ２）。
【００３９】
ここで、図４に示す行動判定用のマトリックスは、行動識別部としての制御部１で識別可能な複数の行動種別を現在行動及び直前の過去行動の各々の事象とするマトリックスである。現在行動の事象と過去行動の事象との交点であるマトリックスの要素毎に、過去行動に対して現在行動が推奨行動であるか否かが予め設定されている。
【００４０】
図示の例では、マトリックスの各要素の設定は、過去行動に対して現在行動が推奨行動である場合に「○」、過去行動に対して現在行動が非推奨行動である場合に「×」、過去行動に対して現在行動が状況によって推奨行動とも非推奨行動ともなり得る場合に「−」で示されている。
【００４１】
例えば、直前の過去行動が乗り物での移動であった場合に、現在行動が歩行であると、その現在行動は、直前の過去行動に対して推奨行動と判定される。一方、直前の過去行動が歩行であった場合に、現在行動が乗り物での移動であると、その現在行動は、直前の過去行動に対して非推奨行動と判定される。
【００４２】
図４のマトリックスでは、概して、過去行動から現在行動への変化が、単位時間当たりの消費カロリーないし活動量が相対的に多い行動への変化となる場合に、その現在行動は過去行動に対して推奨行動とされている。
【００４３】
このように、利用者の現在行動を過去行動との関係で評価することにより、多岐にわたって変化する利用者の行動を適時適切に評価することが可能となり、日常生活の種々の行動に関して、利用者の行動が例えば推奨方向に変化したことをリアルタイムに報知し、利用者の意欲を高めることができる。
【００４４】
図５は、制御部１による推奨行動の判定方法の他の例を示す。
【００４５】
図５に示す例は、現在行動と前日以前で且つ現在行動と同一時間帯の過去行動とを比較して、現在行動が過去行動に対して推奨行動であるか否かを判定する例である。
【００４６】
まず、制御部１は、現在行動を識別すると、記憶部５に蓄積されている前日以前で且つ現在行動と同一時間帯の過去行動を読み出す（ステップＳｂ１）。
【００４７】
そして、制御部１は、現在行動と過去行動とを比較し、制御部１で識別可能な複数の行動種別を現在行動及び前日以前で且つ現在行動と同一時間帯の過去行動の各々の事象とし、現在行動の事象と過去行動の事象との交点である要素毎に、過去行動に対して現在行動が推奨行動であるか否かを予め設定したマトリックスに基づいて、現在行動が過去行動に対して推奨行動であるか否かを判定する（ステップＳｂ２）。
【００４８】
なお、本例の判定方法に用いられるマトリックの各要素の設定は、図４に示したマトリックスと同じであり、概して、過去行動から現在行動への変化が、単位時間当たりの消費カロリーないし活動量が相対的に多い行動への変化となる場合に、その現在行動が過去行動に対して推奨行動となるように設定することができる。
【００４９】
このように、現在行動を前日以前で且つ現在行動と同一時間帯の過去行動と対比するようにすれば、定まった時間帯に習慣的にとられる行動について、利用者の行動が例えば推奨方向に変化したことをリアルタイムに報知し、利用者の意欲を高めることができる。
【００５０】
例えば、定まった時間帯に習慣的にとられる行動として通勤を例に、前日の通勤が乗り物での移動であった場合に、現在の通勤が歩行であると、その現在行動は前日の同一時間帯の過去行動に対して推奨行動と判定され、推奨行動である旨が報知される。
【００５１】
なお、習慣的にとられる行動の評価という観点では、前日の過去行動に限られるものではなく、例えば現在行動がとられた曜日と同じ曜日の過去行動であってもよい。
【００５２】
図６は、制御部１による推奨行動の判定方法の他の例を示す。
【００５３】
図６に示す例は、現在行動と現在行動と同種の過去行動とを比較して、現在行動が過去行動に対して推奨行動であるか否かを判定する例であり、主として、図５に示した例と同様に、習慣的にとられる行動について評価するものである。
【００５４】
まず、制御部１は、現在行動を識別すると、記憶部５に蓄積されている同種の過去行動を読み出す（ステップＳｃ１）。読み出される同種の過去行動は、典型的には前日以前の過去行動であるが、現在行動と同日の過去行動であってもよい。
【００５５】
そして、制御部１は、現在行動と過去行動とを比較し、各々の行動がとられた時間に基づいて、該現在行動が該過去行動に対して推奨行動であるか否かを判定する（ステップＳｃ２）。各行動に関連する時間指標としては行動の開始時間や継続時間を例示でき、推奨行動であるか否かの判定に用いられる時間指標及び判定基準は行動種別毎に設定されている。
【００５６】
例えば、睡眠については開始時間が指標とされており、現在行動が睡眠であって、現在行動の開始時間が、過去行動の開始時間と同一時間帯であるか、又は過去行動の開始時間よりも早い場合に、規則正しい生活リズムが維持されているとして、その現在行動は過去行動に対して推奨行動と判定される。
【００５７】
また、走行については継続時間が指標とされており、現在行動が走行であって、現在行動の継続時間が過去行動の継続時間よりも長い場合に、エクササイズ効果が高まるとして、その現在行動は過去行動に対して推奨行動と判定される。
【００５８】
このように、現在行動を同種の過去行動と対比するようにすれば、習慣的にとられる行動について、利用者の行動が例えば推奨方向に変化したことをリアルタイムに報知し、利用者の意欲を高めることができる。
【００５９】
以上、現在行動と現在行動の直前の過去行動とを比較して判定する例、及び現在行動と前日以前で且つ同一時間帯の過去行動とを比較して判定する例、並びに現在行動と同種の過去行動とを比較して判定する例についてそれぞれ説明したが、これらの判定方法を複数組み合わせ、少なくとも一つの判定方法によって現在行動が推奨行動であると判定された場合に報知するようにしてもよい。
【００６０】
また、制御部１が行う各ステップをコンピュータに実行させるためのプログラムとして提供することもできる。このようなプログラムは、当該プログラムをコンピュータが読取可能な一時的でない（ｎｏｎ−ｔｒａｎｓｉｔｏｒｙ）記録媒体に記録されて提供可能である。
【００６１】
このような「コンピュータ読取可能な記録媒体」は、たとえば、ＣＤ−ＲＯＭ（Ｃｏｍｐａｃｔ  Ｄｉｓｃ−ＲＯＭ）等の光学媒体や、メモリカード等の磁気記録媒体等を含む。また、このようなプログラムを、ネットワークを介したダウンロードによって提供することもできる。
【００６２】
上述した実施形態はすべての点で例示であって制限的なものではないと考えられるべきである。本発明の範囲は特許請求の範囲によって示され、特許請求の範囲と均等の意味及び範囲内でのすべての変更が含まれることが意図される。
【００６３】
以上説明してきたように、本明細書には以下の事項が開示されている。
【００６４】
開示された行動評価装置は、利用者に装着されて使用される行動評価装置であって、前記利用者の動きに応じた情報を検出する検出部と、前記検出部で検出される情報に基づいて前記利用者の行動を識別する行動識別部と、前記行動識別部で識別される行動を蓄積する記憶部と、前記行動識別部で識別された現在行動と前記記憶部に蓄積されている過去行動とを比較し、該現在行動が該過去行動に対して推奨行動であるか否かを判定する判定部と、前記判定部での判定結果に基づいて動作する報知部と、を備えるものである。
【００６５】
また、開示された行動評価装置は、前記判定部が、前記現在行動と該現在行動の直前の過去行動とを比較して、該現在行動が該過去行動に対して推奨行動であるか否かを判定するものである。
【００６６】
また、開示された行動評価装置は、前記判定部が、前記行動識別部で識別可能な複数の行動種別を前記現在行動及び該現在行動の直前の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定するものである。
【００６７】
また、開示された行動評価装置は、日時を計時する計時部をさらに備え、前記記憶部は、前記行動識別部で識別される行動を該行動がとられた日時と関連付けて蓄積し、前記判定部は、前記現在行動と前日以前で且つ該現在行動と同一時間帯の過去行動とを比較して、該現在行動が該過去行動に対して推奨行動であるか否かを判定するものである。
【００６８】
また、開示された行動評価装置は、前記判定部が、前記行動識別部で識別可能な複数の行動種別を前記現在行動及び前日以前で且つ該現在行動と同一時間帯の過去行動の各々の事象とするマトリックスであって、該現在行動の事象と該過去行動の事象との交点である要素毎に推奨行動か否かを定めたマトリックスに基づき、該現在行動が該過去行動に対して推奨行動であるか否かを判定するものである。
【００６９】
また、開示された行動評価装置は、前記判定部が、前記現在行動と該現在行動と同種の過去行動とを比較して、該現在行動が該過去行動に対して推奨行動であるか否かを判定するものである。
【００７０】
また、開示された行動評価装置は、日時を計時する計時部をさらに備え、前記記憶部は、前記行動識別部で識別される行動を該行動がとられた日時と関連付けて蓄積し、前記判定部は、前記現在行動及び該現在行動と同種の過去行動の各々の行動がとられた時間に基づいて、該現在行動が該過去行動に対して推奨行動であるか否かを判定するものである。
【００７１】
また、開示された行動評価装置は、前記報知部が、少なくとも前記現在行動が推奨行動であると前記判定部で判定された場合に動作するものである。
【００７２】
また、開示された行動評価方法は、利用者に装着されて使用され、前記利用者の動きに応じた情報を検出し、該情報に基づいて前記利用者の行動を識別し、識別した行動を蓄積する行動評価装置による行動評価方法であって、前記利用者の動きに応じて検出された情報に基づいて前記利用者の行動を識別するステップと、識別された現在行動と蓄積されている過去行動とを比較し、該現在行動が該過去行動に対して推奨行動であるか否かを判定するステップと、判定結果に基づいて報知するステップと、を備えるものである。
【００７３】
開示された行動評価プログラムは、行動評価方法の各ステップをコンピュータに実行させるものである。
【符号の説明】
【００７４】
１     制御部
２     検出部
３     通信部
４     操作部
５     記憶部
６     表示部
７     報知部
１０   行動評価装置
１１   体動検出部
１２   高度検出部
【図１】
0006365003.tif 000002
【図２】
0006365003.tif 000003
【図３】
0006365003.tif 000004
【図４】
0006365003.tif 000005
【図５】
0006365003.tif 000006
【図６】
0006365003.tif 000007